(57)【要約】【課題】エアが順調に流動し、放熱片が歪まず、熱を快速に放熱して温度を有効に低減させることができる放熱フィンの構造を提供する。【解決手段】多数の並列している片状の放熱片１と、連接部材２と、を含み、各放熱片１の間には同様な長さのギャップ１１を有し、各放熱片１は連接部材２に嵌めて固定する放熱フィンの構造において、各放熱片１の中央にはそれぞれ貫通孔１２を有し、貫通孔１２の各周縁には別々に外側へ伸びた間隔片１３を有し、間隔片１３の外側へ伸びた長さは、各放熱片１の間のギャップ１１の長さと一致し、各放熱片１が前記連接部材２に順に嵌めて固定するために、連接部材２は放熱片１の貫通孔１２に合う形状を有し、且つ各放熱片１の間のギャップ１１は、各放熱片１の間隔片１３により固定したことを特徴とする。【選択図】　図１
0003096949.tif 000002
【実用新案登録請求の範囲】
【請求項１】
多数の並列している片状の放熱片と、連接部材と、を含み、前記各放熱片の間には同様な長さのギャップを有し、前記各放熱片は前記連接部材に嵌めて固定する放熱フィンの構造において、
前記各放熱片の中央にはそれぞれ貫通孔を有し、前記貫通孔の各周縁には別々に外側へ伸びた間隔片を有し、前記間隔片の外側へ伸びた長さは、前記各放熱片の間のギャップの長さと一致し、
前記各放熱片が前記連接部材に順に嵌めて固定されるために、前記連接部材は前記放熱片の貫通孔に合う形状を有し、且つ前記各放熱片の間のギャップは、前記各放熱片の間隔片により固定されていることを特徴とする放熱フィンの構造。
【請求項２】
前記放熱片の貫通孔はプレスで成形された四角形の孔であり、且つ四角形の孔の四辺には別々に同様な長さの間隔片が形成されており、前記各放熱片を嵌めて固定するために、前記連接部材は四方形体であることを特徴とする請求項１に記載の放熱フィンの構造。
【請求項３】
前記連接部材の内部には、両端が貫通した状態を持つ放熱空間を有することを特徴とする請求項１に記載の放熱フィンの構造。
【請求項４】
前記連接部材の放熱空間の内部には、前記放熱片の方向と垂直に多数の金属シートが設けられていることを特徴とする請求項３に記載の放熱フィンの構造。
【請求項５】
前記連接部材の放熱空間の一端の開口には、第二放熱ファンが設けられていることを特徴とする請求項３に記載の放熱フィンの構造。
【請求項６】
前記各放熱フィンの頂端には、第一放熱ファンが設けられていることを特徴とする請求項１に記載の放熱フィンの構造。
【考案の詳細な説明】
【０００１】
【考案の属する技術分野】
この考案は放熱フィンの構造に係り、特に各放熱片は、ギャップを保持し且つ垂直度を固定するために、同様な長さの間隔片を有する放熱フィンの構造に関する。
【０００２】
【従来の技術】
図６に示すのは従来の放熱フィンである。従来の放熱フィンは台座６を有し、前記台座６には等距離に並列し片状に呈する多数の放熱片６１が設けられており、且つ前記各放熱片６１を等距離に固定するように、二つのロッド６２が前記各放熱片６１を横方向に貫通しており、放熱ファン（図示せず）を固定するために、前記各放熱片６１の頂縁にはフレーム６３が設けられている。上記構成の放熱フィンを放熱必要な部材（例えば、パソコンのＣＰＵまたは熱伝導リード）に組み付けて、前記放熱ファンによりエアを前記各放熱片６１の間で流動させ、各放熱片６１まで伝導されてきた熱を放熱する。
【０００３】
これには次のような欠点があった。
（イ）エアの流通のために、前記放熱フィンの各放熱片６１の間には一定のギャップを保持することが必要なので、前記ロッド６２を利用して前記各放熱片６１の間のギャップを固定するが、前記各放熱片６１は一個一個に溶接または粘着などの方法により前記ロッド６２に固定する必要なため、製造に手間がかなり掛かり、製造コストが無駄に増加した。
（ロ）前記各放熱片６１は一個一個に溶接または粘着などの方法により前記ロッド６２に固定したため、各放熱片６１の間のギャップの長さはズレる可能性があるので、熱対流の効果に悪影響を与えた。そして、前記放熱片６１と前記ロッド６２の接触面積が小さいため、安定性が低く且つ変形し易いので、各放熱片６１が変形して互いに寄ったことがよくあり、放熱効果が低下した。
【０００４】
【考案が解決しようとする課題】
よって本考案の目的は、エアが順調に流動し、放熱片が歪まず、熱を快速に放熱して温度を有効に低減させることができる放熱フィンの構造を提供することである。
【０００５】
【課題を解決するための手段】
上記欠点を解決するためになされた本考案の請求項１は、多数の並列している片状の放熱片と、連接部材と、を含み、前記各放熱片の間には同様な長さのギャップを有し、前記各放熱片は前記連接部材に嵌めて固定する放熱フィンの構造において、前記各放熱片の中央にはそれぞれ貫通孔を有し、前記貫通孔の各周縁には別々に外側へ伸びた間隔片を有し、前記間隔片の外側へ伸びた長さは、前記各放熱片の間のギャップの長さと一致し、前記各放熱片が前記連接部材に順に嵌めて固定するために、前記連接部材は前記放熱片の貫通孔に合う形状を有し、且つ前記各放熱片の間のギャップは、前記各放熱片の間隔片により固定したことを特徴とする放熱フィンの構造であることを要旨としている。
【０００６】
本考案の請求項２では、前記放熱片の貫通孔はプレスで成形された四角形の孔であり、且つ四角形の孔の四辺には別々に同様な長さの間隔片が形成しており、前記各放熱片を嵌めて固定するために、前記連接部材は四方形体であることを特徴とする請求項１に記載の放熱フィンの構造であることを要旨としている。
【０００７】
本考案の請求項３では、前記連接部材の内部には、両端が貫通した状態を持つ放熱空間を有することを特徴とする請求項１に記載の放熱フィンの構造であることを要旨としている。
本考案の請求項４では、前記連接部材の放熱空間の内部には、前記放熱片の方向と垂直に多数の金属シートが設けられていることを特徴とする請求項３に記載の放熱フィンの構造であることを要旨としている。
【０００８】
本考案の請求項５では、前記連接部材の放熱空間の一端の開口には、第二放熱ファンが設けられていることを特徴とする請求項３に記載の放熱フィンの構造であることを要旨としている。
本考案の請求項６では、前記各放熱フィンの頂端には、第一放熱ファンが設けられていることを特徴とする請求項１に記載の放熱フィンの構造であることを要旨としている。
【０００９】
【考案の実施の形態】
図１から図３に示すのは、本考案の一実施例による放熱フィンの構造であり、その放熱フィンは、多数の並列している片状の放熱片１と、連接部材２と、を含み、前記各放熱片１の間には同様な長さのギャップ１１を有し、前記各放熱片１は前記連接部材２に嵌めて固定されている。
また、前記各放熱片１の中央にはそれぞれ貫通孔１２を有し、前記貫通孔１２の各周縁には別々に外側へ伸びた間隔片１３を有し、前記間隔片１３の外側へ伸びた長さは、前記各放熱片１の間のギャップ１１の長さと一致し、本実施例では、前記貫通孔１２はプレスで成形された四角形の孔であり、且つ四角形の孔の四辺には別々に同様な長さの間隔片１３が形成している。
【００１０】
前記各放熱片１の貫通孔１２に嵌めて固定するために、本実施例では、前記連接部材２は、四方形体であり前記放熱片１の貫通孔１２に合う形状を有し、且つ前記各放熱片１の間のギャップ１１は前記間隔片１３により固定し、前記連接部材２の内部には、両端が貫通した状態を持つ放熱空間２１を有し、前記放熱空間２１の内部には、前記放熱片１の方向と垂直した多数の金属シート２２が設けられている。
【００１１】
図４および図５に示すように、上記構成の放熱フィンを放熱必要な部材（例えば、パソコンのＣＰＵまたは熱伝導リード）に組み付け、本実施例では、該当放熱フィンをパソコンのＣＰＵに組み付け、且つ前記放熱フィンの各放熱片１の頂端に第一放熱ファン３を設け、そして、前記連接部材２の放熱空間２１の一端に第二放熱ファン４を設け、前記第一放熱ファン３と第二放熱ファン４との回転により、エアを各放熱片１の間でおよび前記放熱空間２１の内部で流動させ、前記放熱片１まで伝導されてきた熱を放熱する。
【００１２】
該当放熱片１は間隔片１３により連接部材２に嵌めて固定し、且つ各放熱片１の外側へ伸びた間隔片１３の長さが同様であるため、前記各放熱片１の間のギャップ１１が等距離に保持し固定することができ、エアが順調に流動することができるので、熱対流の効果を向上することができる。該当間隔片１３は、更に放熱片の垂直度を固定し、放熱片１が歪まないので、放熱効果を向上することができる。
【００１３】
該当放熱フィンの各放熱片１の頂端では第一放熱ファン３が設けられており、前記連接部材２の内部には放熱空間２１を有し、前記放熱空間２１の内部には金属シート２２を有し、且つ前記放熱空間２１の一端では第二放熱ファン４が設けられているため、各放熱片１まで伝導されてきた熱は前記第一放熱ファン３により放熱させてから、第二放熱ファン４により前記連接部材２の内部にある放熱空間２１のなかのエアを流動させ、残った熱を放熱するため、二重の放熱効果が得られる。
【００１４】
【考案の効果】
この考案は次のような効果がある。
（イ）各放熱片の間のギャップが等距離に保持し固定することができ、エアが順調に流動し、熱対流の効果を向上することができる。
（ロ）該当間隔片により放熱片の垂直度を固定し、放熱片が歪まないので、放熱効果を向上することができる。
（ハ）各放熱片まで伝導されてきた熱は前記第一放熱ファンにより放熱させてから、第二放熱ファンにより前記連接部材の内部にある放熱空間のなかのエアを流動させ、残った熱を放熱するため、二重の放熱効果が得られ、熱を快速に放熱して温度を有効に低減させることができる。
【図面の簡単な説明】
【図１】本考案の一実施例による放熱フィンの構造を示す外観斜視図である。
【図２】本考案の一実施例による放熱フィンの構造を示す分解斜視図である。
【図３】図１の３−３線の断面図である。
【図４】本考案の一実施例による放熱フィンの構造の第一放熱ファンによりエアを流動させる状態を示す前面図である。
【図５】本考案の一実施例による放熱フィンの構造の第二放熱ファンにより放熱空間内のエアを流動させる状態を示す断面図である。
【図６】従来の放熱フィンを示す外観斜視図である。
【符号の説明】
１　　放熱片
２　　連接部材
３　　第一放熱ファン
４　　第二放熱ファン
５　　ＣＰＵ
１１　　ギャップ
１２　　貫通孔
１３　　間隔片
２１　　放熱空間
２２　　金属シート
【図１】
0003096949.tif 000003
【図２】
0003096949.tif 000004
【図３】
0003096949.tif 000005
【図４】
0003096949.tif 000006
【図５】
0003096949.tif 000007
【図６】
0003096949.tif 000008